(57)【特許請求の範囲】
【請求項１】
便座カバーであって、
上材料シートと、
下材料シートであり、前記下材料シートの２つの結合縁上で前記上材料シートに結合されており、前記２つの結合縁が対向する外縁である下材料シートと
を備え、
前記上材料シートと前記下材料シートの間および前記対向する外縁間に便座を受け取ることができ、
前記上材料シートおよび前記下材料シートが、対応するそれぞれの穴部分を備え、前記対応するそれぞれの穴部分が、前記便座カバーの中心開口を形成するように位置合わせされており、前記中心開口が、前記上材料シートと前記下材料シートの間に前記便座が受け取られているときに前記便座の中空部分と実質的に位置合わせされうるものであり、
前記上材料シートまたは前記下材料シートは、１つまたは複数の締結ストリップをさらに備え、該１つまたは複数の締結ストリップは、実質的に、前記上材料シートおよび前記下材料シートの、中心開口を形成するために切り抜かれた部分から形成されており、
前記上材料シートと前記下材料シートのうちの少なくとも一方のシートが１つまたは複数のパーホレーションを備え、前記１つまたは複数のパーホレーションが、前記パーホレーションが切り裂かれたときに前記対応するそれぞれの穴部分を形成するためのものであり、
さらに、前記中心開口の一側から蝶番式に延びるフラップを備え、
前記パーホレーションが、前記パーホレーションが切り裂かれたときに前記フラップが形成されることを可能にし、
前記上材料シートと前記下材料シートのうちの少なくとも一方のシートが１つまたは複数の追加のパーホレーションを備え、前記１つまたは複数の追加のパーホレーションが、前記１つまたは複数の追加のパーホレーションが切り裂かれたときに前記フラップのサイズを小さくするためのものである
便座カバー。
【請求項２】
前記フラップが、前記上材料シートと前記下材料シートの間に前記便座が受け取られているときに前記便座の前記中空部分を通り抜けて延びることができる、請求項１に記載の便座カバー。
【請求項３】
前記フラップが、前記便座カバーの前縁の近くから蝶番式に延びる、請求項１または２に記載の便座カバー。
【請求項４】
前記上材料シートおよび前記下材料シートがそれぞれ流体透過性材料を含む、請求項１から３のいずれか一項に記載の便座カバー。
【請求項５】
前記上材料シートと前記下材料シートのうちの少なくとも一方のシートが流体不透過性材料を含む、請求項１から３のいずれか一項に記載の便座カバー。
【請求項６】
前記上材料シートと前記下材料シートのうちの少なくとも一方のシートが内側材料層および外側材料層を含み、前記外側材料層が前記便座カバーの外側にある、請求項１から５のいずれか一項に記載の便座カバー。
【請求項７】
前記内側材料層が流体不透過性材料を含む、請求項６に記載の便座カバー。
【請求項８】
前記外側材料層が吸収性材料を含む、請求項６または７に記載の便座カバー。
【請求項９】
前記上材料シートおよび前記下材料シートの形状が長方形である、請求項１から８のいずれか一項に記載の便座カバー。
【請求項１０】
前記下材料シートが、前記下材料シートの別の１つまたは複数の縁のところで前記上材料シートにさらに結合されており、前記別の縁がそれぞれ結合縁に対応し、
それぞれの別の縁と対応するそれぞれの結合縁とが、蹄鉄形便座の１本のフォークを受け取るスリーブを形成するような態様で、前記別の縁がそれぞれ、前記対応する結合縁から離れて配置された、
請求項１から９のいずれか一項に記載の便座カバー。
【請求項１１】
前記別の縁が、対応するそれぞれの周囲に実質的に沿って一緒に接合されて、リングを形成した、請求項１０に記載の便座カバー。
【請求項１２】
前記下材料シートが、前記下材料シートの前縁で前記上材料シートにさらに結合されており、前記便座カバーが、前記便座にすっかり挿入されることを可能にする口をさらに備える、請求項１から１１のいずれか一項に記載の便座カバー。
【請求項１３】
前記下材料シートが、前記中心開口と口縁との間に配置された追加の開口をさらに備え、前記追加の開口が、実質的に前記対向する外縁を横切って延びている、請求項１から１２のいずれか一項に記載の便座カバー。
【請求項１４】
前記上材料シートおよび前記下材料シートがそれぞれ、受け取られた便座の表面エリアを超えて広がる周辺エリアをさらに備え、前記周辺エリアが、折り返され、前記便座の下に配置されうる、請求項１から１３のいずれか一項に記載の便座カバー。
【請求項１５】
前記下材料シートが１つまたは複数の開口部をさらに備え、前記１つまたは複数の開口部が、前記上材料シートと前記下材料シートの間に前記便座が受け取られているときに、前記便座上に提供された１つまたは複数の係合部材と協力するためのものである、請求項１４に記載の便座カバー。
【請求項１６】
前記周辺エリアが１つまたは複数の受取り開口部を備え、前記１つまたは複数の受取り開口部が、前記周辺エリアが折り返されたときに、受け取られた便座上に提供された１つまたは複数の係合部材と係合するためのものである、請求項１４または１５のいずれか一項に記載の便座カバー。
【請求項１７】
前記上材料シートが前記下材料シートよりも実質的に長くなるような態様の延長部分を前記上材料シートがさらに備える、請求項１から１６のいずれか一項に記載の便座カバー。
【請求項１８】
前記上材料シートが、前記下材料シートよりも４５０ｍｍ長い、請求項１７に記載の便座カバー。
【請求項１９】
前記延長部分が１つまたは複数の追加の開口部を備え、前記１つまたは複数の追加の開口部が、水タンクまたは支持壁上に提供された１つまたは複数の追加の係合部材と協力して、前記延長部分を、前記水タンクまたは前記支持壁にもたれ掛かった状態に維持するためのものである、請求項１７または１８に記載の便座カバー。
【請求項２０】
前記延長部分が、切り裂かれたときに前記１つまたは複数の追加の開口部を形成する１つまたは複数の追加のパーホレーションを備える、請求項１９に記載の便座カバー。
【請求項２１】
前記延長部分が、便座蓋の蝶番が付いていない端をその中に受け取るポケットを備える、請求項１７から２０のいずれか一項に記載の便座カバー。
【請求項２２】
前記１つまたは複数の締結ストリップがそれぞれ、
前記上材料シートまたは前記下材料シートに結合された被結合端と、
前記便座の一部分を取り巻くループが実質的に形成されるような態様で前記便座の前記中空部分を通り抜けて前記上材料シートの上または前記下材料シートの下に延びることができる自由端と
を備える、請求項１から２１のいずれか一項に記載の便座カバー。
【請求項２３】
前記被結合端が、前記外縁のうちの一方の外縁の近くの前記中心開口の周囲に沿った位置に結合されている、請求項２２に記載の便座カバー。
【請求項２４】
前記自由端が、一方の対向する外縁の近くの前記中心開口の前記周囲に沿った別の位置から切り離されている、請求項２２で引用する請求項１１または請求項２３に記載の便座カバー。
【請求項２５】
前記上材料シートまたは前記下材料シートが、切り裂かれたときに前記１つまたは複数の締結ストリップを形成する締結ストリップパーホレーションをさらに備える、請求項２２から２４のいずれか一項に記載の便座カバー。
【請求項２６】
便座カバーを製造する方法であって、
上材料シートおよび下材料シートを用意すること、ならびに
前記下材料シートの２つの結合縁上で前記下材料シートを前記上材料シートに結合すること
を含み、前記２つの結合縁が対向する外縁を含み、前記方法がさらに、
前記上材料シート上および前記下材料シート上に、対応するそれぞれの穴部分を形成すること、ならびに
前記対応するそれぞれの穴部分を位置合わせして、前記便座カバーの中心開口を形成すること
を含み、前記中心開口が、前記便座カバーによって便座が受け取られているときに前記便座の中空部分と実質的に位置合わせされうるものであり、さらに、
前記上材料シートおよび前記下材料シートの、中心開口を形成するために切り抜かれた部分から形成される１つまたは複数の締結ストリップを形成すること、および
前記上材料シートと前記下材料シートのうちの少なくとも一方のシート上に１つまたは複数のパーホレーションを形成すること
を含み、
前記１つまたは複数のパーホレーションが、前記パーホレーションが切り裂かれたときに前記対応するそれぞれの穴部分を形成するためのものであり、
前記中心開口の一側から蝶番式に延びるフラップを形成することをさらに含み、前記フラップが、前記上材料シートと前記下材料シートの間に前記便座が受け取られているときに前記便座の前記中空部分を通り抜けて延びることができる、
方法。
【請求項２７】
前記パーホレーションが、前記パーホレーションが切り裂かれたときに前記フラップが形成されることを可能にする、請求項２６に記載の方法。
【請求項２８】
前記上材料シートと前記下材料シートのうちの少なくとも一方のシート上に１つまたは複数の追加のパーホレーションを形成すること
をさらに含み、
前記１つまたは複数の追加のパーホレーションが、前記１つまたは複数の追加のパーホレーションが切り裂かれたときに前記フラップのサイズを小さくすることを可能にする、
請求項２７に記載の方法。
【請求項２９】
前記フラップを形成することが、前記便座カバーの前縁の近くから蝶番式に延びる前記フラップを形成することを含む、請求項２６から２８のいずれか一項に記載の方法。
【請求項３０】
前記上材料シートと前記下材料シートのそれぞれに対して流体透過性材料を提供すること
をさらに含む、請求項２６から２９のいずれか一項に記載の方法。
【請求項３１】
前記上材料シートと前記下材料シートのうちの少なくとも一方のシートに対して流体不透過性材料を提供すること
をさらに含む、請求項２６から２９のいずれか一項に記載の方法。
【請求項３２】
前記上材料シートまたは前記下材料シートのうちの少なくとも一方のシートに対して、内側材料層および外側材料層を提供することをさらに含み、前記外側材料層が前記便座カバーの外側にある、
請求項２６から３１のいずれか一項に記載の方法。
【請求項３３】
前記内側材料層に対して流体不透過性材料を提供することをさらに含む、請求項３２に記載の方法。
【請求項３４】
前記外側材料層に対して吸収性材料を提供することをさらに含む、請求項３２または３３に記載の方法。
【請求項３５】
長方形の上材料シートおよび長方形の下材料シートを提供することをさらに含む、請求項２６から３４のいずれか一項に記載の方法。
【請求項３６】
前記下材料シートの別の１つまたは複数の縁を前記上材料シートに結合することをさらに含み、前記別の縁がそれぞれ結合縁に対応しており、
それぞれの別の縁と対応するそれぞれの結合縁とが、蹄鉄形便座の１本のフォークを受け取るスリーブを形成するような態様で、前記別の縁がそれぞれ、前記対応する結合縁から離れて配置された、
請求項２６から３５のいずれか一項に記載の方法。
【請求項３７】
前記別の縁を、対応するそれぞれの周囲に実質的に沿って一緒に接合して、リングを形成することをさらに含む、請求項３６に記載の方法。
【請求項３８】
前記下材料シートの前縁を前記上材料シートに結合すること、および
前記便座にすっかり挿入されることを可能にする口を、結合されていない縁上に形成すること
をさらに含む、請求項２６から３７のいずれか一項に記載の方法。
【請求項３９】
前記中心開口と口縁の間の前記下材料シート上に追加の開口を形成することをさらに含み、前記追加の開口が、実質的に前記対向する外縁を横切って延びる、
請求項２６から３８のいずれか一項に記載の方法。
【請求項４０】
受け取られた便座の表面エリアを超えて広がる周辺エリアを、前記上材料シート上および前記下材料シート上に提供すること、ならびに
折り返され、前記便座の下に配置されるために前記周辺エリアを形成すること
をさらに含む、請求項２６から３９のいずれか一項に記載の方法。
【請求項４１】
前記下材料シート上に開口部を提供することをさらに含み、前記開口部が、前記上材料シートと前記下材料シートの間に前記便座が受け取られているときに、前記便座上に提供された係合部材と位置を合わせるためのものである、
請求項４０に記載の方法。
【請求項４２】
受け取られた便座上に提供された係合部材と係合する受取り開口部を、少なくとも前記下材料シート上に提供することをさらに含む、請求項４０または４１のいずれか一項に記載の方法。
【請求項４３】
上材料シートを用意することが、前記上材料シートが前記下材料シートよりも実質的に長くなるような態様の延長部分を有する上材料シートを用意することを含む、請求項２６から４２のいずれか一項に記載の方法。
【請求項４４】
上材料シートを用意することが、前記下材料シートよりも４５０ｍｍ長い上材料シートを用意することを含む、請求項４３に記載の方法。
【請求項４５】
１つまたは複数の追加の開口部を前記延長部分上に提供することをさらに含み、前記１つまたは複数の追加の開口部が、水タンクまたは支持壁上に提供された１つまたは複数の追加の係合部材と協力して、前記延長部分を、前記水タンクまたは前記支持壁にもたれ掛かった状態に維持するためのものである、請求項４３または４４に記載の方法。
【請求項４６】
切り裂かれたときに前記１つまたは複数の追加の開口部を形成する１つまたは複数の追加のパーホレーションを前記延長部分上に提供することをさらに含む、請求項４５に記載の方法。
【請求項４７】
便座蓋の蝶番が付いていない端とその内部で係合し、またはそのような端をその内部に受け取るポケットを前記延長部分上に提供することをさらに含む、請求項４３から４６のいずれか一項に記載の方法。
【請求項４８】
前記上材料シート上または前記下材料シート上に前記１つまたは複数の締結ストリップを提供することが、
前記締結ストリップのうちの１つの締結ストリップの被結合端を前記上材料シートまたは前記下材料シートに結合すること、および
前記締結ストリップのうちの１つの締結ストリップの自由端であり、前記便座の一部分を取り巻くループが実質的に形成されるような態様で前記便座の前記中空部分を通り抜けて前記上材料シートの上または前記下材料シートの下に延びることができる自由端を提供すること
を含む、請求項２６から４７のいずれか一項に記載の方法。
【請求項４９】
前記被結合端を結合することが、前記締結ストリップのうちの１つの締結ストリップの被結合端を、前記外縁のうちの一方の外縁の近くの前記中心開口の周囲に沿った位置に結合することを含む、請求項４８に記載の方法。
【請求項５０】
自由端を提供することが、前記外縁のうちの一方の対向する外縁の近くの前記中心開口の前記周囲に沿った別の位置から切り離された自由端を提供することを含む、請求項３７を引用する請求項４８または請求項４９に記載の方法。
【請求項５１】
切り裂かれたときに前記１つまたは複数の締結ストリップを形成する１つまたは複数の締結ストリップパーホレーションを提供することをさらに含む、請求項２６から５０のいずれか一項に記載の方法。
【発明の詳細な説明】
【技術分野】
【０００１】
本開示は広く、便座カバーおよび便座カバーを製造する方法に関する。
【背景技術】
【０００２】
水洗トイレは一般に、例えば排泄物を受け取るボウル（ｂｏｗｌ）部分（または便器）を備える。このボウル部分は、ボウル部分のリム（ｒｉｍ）によって画定された開口を有する。使用者がこのボウル部分により快適に腰掛けることを可能にするため、このリムの上に衛生シート／便座を水平に置くことができる。腰掛けたいときに便座がリムの上に水平に置かれることを可能にするため、便座は通常、このリムの端に蝶番によって取り付けられている。あるいは、便座が要らないときには、便座を、リムから持ち上げてまたは回転させて、便器の開口に対して実質的に垂直な直立位置に置くことができ、また、壁面または水洗トイレの水タンクに立て掛けることができる。
【０００３】
しかしながら、便座は、汚されていることまたは汚れていることがあり、このことは、使用者が便座に腰掛けることを思いとどまらせ、または便座に触れることさえも思いとどまらせる。例えば、リムの上に水平に置かれた便座が、立っている男性使用者によって汚されることがある。さらに、便座は通常、リムの一端に蝶番によって接続されているため、蝶番の付近のエリアはしばしば、排泄物、例えば立っている男性使用者によって残された通常は除去するのが困難な尿、によって汚されている。
【０００４】
例えば以前の使用者の排泄物によって生じた可能性がある目に見える染みや汚れのほかに、例えば細菌および／または微生物などの目に見えない汚染物に接触することによって発生する可能性がある感染性または伝染性の病気にかかる危険性を、使用者が心配することもある。この危険性は、公衆トイレにおいてよりいっそう高い。
【０００５】
いくつかの企業が、クリーナを使用して、使用したらすぐにそれぞれの便座を清浄化することを試みている。しかしながら、この方法は、トイレのピーク時使用量にクリーナの数を合わせるという、費用のかかる非実用的な方法となる可能性がある。さらに、便座の表面を清浄にするための殺菌剤または滅菌化学剤がクリーナに塗布されていないこともある。
【０００６】
汚れた便座に対峙したとき、一部の使用者は、例えばディスペンサからの滅菌化学剤およびトイレットペーパーを使用して便座を清浄化すること、または水ホースで便器を洗うことを選択する場合がある。しかしながら、その結果、清浄化に時間がとられることとなりうる。加えて、余分な労力およびコストが使用者の側にかかる。そのため、便座を清浄にしようとする使用者は、いてもごくわずかである。便座を清浄にしようと試みる場合であっても、使用者は通常、便座清浄化に熟練しておらず、その結果、便座が適切に清浄化されなかったり、および／または紙、清浄化材などが清浄化に過剰に使用されたりすることがある。清浄化の際に、使用者が、肉眼では見えない細菌および微生物を見逃す可能性もあり、したがって、使用者は、このような汚染物に依然としてさらされる可能性がある。
【０００７】
一部の使用者は、便座上に直接に置くことができる使い捨てのカバーを使用する場合がある。このような便座カバーは通常、便座に似た形に作られた紙のシートを含む。このようなシートは通常、製造費用効果のために厚さが十分ではなく、適切に取り扱われないとき、特に、例えば濡れた便座または以前の使用者の尿の結果として使い捨てのカバーが濡れているときには、容易に破れる可能性がある。さらに、使い捨ての紙カバーは、便座に比べてサイズが小さいため、一般に、便座上にうまく適合しない。そのため、使用者は、便座を完全に覆うため、また、十分な厚さを提供するために、このような使い捨て紙カバーを２、３枚、互いに重ねて置かなければならない。この効率の悪い被覆の結果、追加のコストがかかる。さらに、このようなシートは便座上にきちんと載らず、使用者が腰掛けたときに横滑りする傾向がある。
【発明の概要】
【発明が解決しようとする課題】
【０００８】
したがって、上記の問題のうちの１つもしくは複数の問題に対処すること、またはその１つもしくは複数の問題を少なくとも改善することを追求する、便座カバーおよび便座カバーを製造する方法が求められている。
【課題を解決するための手段】
【０００９】
本開示の第１の態様によれば、便座カバーが提供される。この便座カバーは、上材料シートと、下材料シートであり、下シートの２つの結合縁上で上シートに結合されており、前記２つの結合縁が対向する外縁である下材料シートとを備え、上シートと下シートの間および対向する外縁間に便座を受け取ることができ、上シートおよびシートは、対応するそれぞれの穴部分を備え、前記対応するそれぞれの穴部分は、カバーの中心開口を形成するように位置合わせされており、前記中心開口は、上シートと下シートの間に便座が受け取られているときに便座の中空部分と実質的に位置合わせされうる。
【００１０】
この便座カバーは、中心開口の一側から蝶番式に延びるフラップ（ｆｌａｐ）をさらに備えることができ、前記フラップは、上シートと下シートの間に便座が受け取られているときに便座の中空部分を通り抜けて延びることができる。
【００１１】
上シートと下シートのうちの少なくとも一方のシートが１つまたは複数のパーホレーション（ｐｅｒｆｏｒａｔｉｏｎ）を備えることができ、この１つまたは複数のパーホレーションは、パーホレーションが切り裂かれたときに対応するそれぞれの穴部分を形成するためのものである。
【００１２】
パーホレーションは、パーホレーションが切り裂かれたときにフラップが形成されることを可能にすることができる。
【００１３】
上シートと下シートのうちの少なくとも一方のシートが１つまたは複数の追加のパーホレーションを備えることができ、この１つまたは複数の追加のパーホレーションは、この１つまたは複数の追加のパーホレーションが切り裂かれたときにフラップのサイズを小さくするためのものである。
【００１４】
このフラップは、カバーの前縁の近くから蝶番式に延びることができる。
【００１５】
上シートおよび下シートはそれぞれ流体透過性材料を含むことができる。
【００１６】
上シートと下シートのうちの少なくとも一方のシートが流体不透過性材料を含むことができる。
【００１７】
上シートと下シートのうちの少なくとも一方のシートが内側材料層および外側材料層を含むことができ、外側層はカバーの外側にある。
【００１８】
内側層は流体不透過性材料を含むことができる。
【００１９】
外側層は吸収性材料を含むことができる。
【００２０】
上シートおよび下シートの形状は長方形とすることができる。
【００２１】
下シートは、下シートの別の１つまたは複数の縁のところで上シートにさらに結合することができ、前記別の縁はそれぞれ結合縁に対応し、それぞれの別の縁と対応するそれぞれの結合縁とが、蹄鉄形便座の１本のフォークを受け取るスリーブを形成するような態様で、前記別の縁はそれぞれ、対応する結合縁から離れて配置されている。
【００２２】
前記別の縁を、対応するそれぞれの周囲に実質的に沿って一緒に接合して、リングを形成することができる。
【００２３】
下シートは、下シートの前縁で上シートにさらに結合することができ、カバーは、便座にすっかり挿入されることを可能にする口をさらに備える。
【００２４】
下シートは、中心開口と口縁との間に配置された追加の開口をさらに備えることができ、前記追加の開口は、実質的に対向する外縁を横切って延びている。
【００２５】
上シートおよび下シートはそれぞれ、受け取られた便座の表面エリアを超えて広がる周辺エリアをさらに備えることができ、この周辺エリアは、折り返され、便座の下に配置されうる。
【００２６】
下シートは１つまたは複数の開口部をさらに備えることができ、この１つまたは複数の開口部は、上シートと下シートの間に便座が受け取られているときに、便座上に提供された１つまたは複数の係合部材と協力するためのものである。
【００２７】
周辺エリアは１つまたは複数の受取り開口部を備えることができ、この１つまたは複数の受取り開口部は、周辺エリアが折り返されたときに、受け取られた便座上に提供された１つまたは複数の係合部材と係合するためのものである。
【００２８】
上シートは、上シートが下シートよりも実質的に長くなるような態様の延長部分をさらに備えることができる。
【００２９】
上シートは、下シートよりも４５０ｍｍ長くすることができる。
【００３０】
延長部分は１つまたは複数の追加の開口部を備えることができ、この１つまたは複数の追加の開口部は、水タンクまたは支持壁上に提供された１つまたは複数の追加の係合部材と協力して、延長部分を、水タンクまたは支持壁にもたれ掛かった状態に維持するためのものである。
【００３１】
延長部分は、切り裂かれたときに前記１つまたは複数の追加の開口部を形成する１つまたは複数の追加のパーホレーションを備えることができる。
【００３２】
延長部分は、便座蓋の蝶番が付いていない端をその中に受け取るポケットを備えることができる。
【００３３】
上シートまたは下シートは、１つまたは複数の締結ストリップをさらに備えることができる。
【００３４】
この１つまたは複数の締結ストリップはそれぞれ、上シートまたは下シートに結合された、結合された端（以後、被結合端）と、便座の一部分を取り巻くループが実質的に形成されるような態様で便座の中空部分を通り抜けて上シートの上または下シートの下に延びることができる自由端とを備えることができる。
【００３５】
被結合端は、前記外縁のうちの一方の外縁の近くの中心開口の周囲に沿った位置に結合することができる。
【００３６】
自由端は、一方の対向する外縁の近くの中心開口の周囲に沿った別の位置から切り離すことができる。
【００３７】
上シートまたは下シートは、切り裂かれたときに前記１つまたは複数の締結ストリップを形成する締結ストリップパーホレーションをさらに備えることができる。
【００３８】
本開示の第２の態様によれば、便座カバーを製造する方法が提供される。この方法は、上材料シートおよび下材料シートを用意すること、ならびに下シートの２つの結合縁上で下シートを上シートに結合することを含み、前記２つの結合縁は対向する外縁を含み、この方法はさらに、上シート上および下シート上に、対応するそれぞれの穴部分を形成すること、ならびに対応するそれぞれの穴部分を位置合わせして、カバーの中心開口を形成することを含み、前記中心開口は、カバーによって便座が受け取られているときに便座の中空部分と実質的に位置合わせされうる。
【００３９】
この方法は、中心開口の一側から蝶番式に延びるフラップを形成することをさらに含むことができ、前記フラップは、上シートと下シートの間に便座が受け取られているときに便座の中空部分を通り抜けて延びることができる。
【００４０】
この方法は、上シートと下シートのうちの少なくとも一方のシート上に１つまたは複数のパーホレーションを形成することをさらに含むことができ、前記１つまたは複数のパーホレーションは、パーホレーションが切り裂かれたときに対応するそれぞれの穴部分を形成するためのものである。
【００４１】
パーホレーションは、パーホレーションが切り裂かれたときにフラップが形成されることを可能にすることができる。
【００４２】
この方法は、上シートと下シートのうちの少なくとも一方のシート上に１つまたは複数の追加のパーホレーションを形成することをさらに含むことができ、前記１つまたは複数の追加のパーホレーションは、この１つまたは複数の追加のパーホレーションが切り裂かれたときにフラップのサイズを小さくすることを可能にする。
【００４３】
フラップを形成することは、カバーの前縁の近くから蝶番式に延びるフラップを形成することを含むことができる。
【００４４】
この方法は、上シートと下シートのそれぞれに対して流体透過性材料を提供することをさらに含むことができる。
【００４５】
この方法は、上シートと下シートのうちの少なくとも一方のシートに対して流体不透過性材料を提供することをさらに含むことができる。
【００４６】
この方法は、上シートまたは下シートのうちの少なくとも一方のシートに対して、内側材料層および外側材料層を提供することをさらに含むことができ、外側層はカバーの外側にある。
【００４７】
この方法は、内側層に対して流体不透過性材料を提供することをさらに含むことができる。
【００４８】
この方法は、外側層に対して吸収性材料を提供することをさらに含むことができる。
【００４９】
この方法は、長方形の上シートおよび長方形の下シートを提供することをさらに含むことができる。
【００５０】
この方法は、下シートの別の１つまたは複数の縁を上シートに結合することをさらに含むことができ、前記別の縁はそれぞれ結合縁に対応しており、それぞれの別の縁と対応するそれぞれの結合縁とが、蹄鉄形便座の１本のフォークを受け取るスリーブを形成するような態様で、前記別の縁はそれぞれ、対応する結合縁から配置されている。
【００５１】
この方法は、前記別の縁を、対応するそれぞれの周囲に実質的に沿って一緒に接合して、リングを形成することをさらに含むことができる。
【００５２】
この方法は、下シートの前縁を上シートに結合すること、および、便座にすっかり挿入されることを可能にする口を、結合されていない縁上に形成することをさらに含むことができる。
【００５３】
この方法は、中心開口と口縁の間の下シート上に追加の開口を形成することをさらに含むことができ、前記追加の開口は、実質的に対向する外縁を横切って延びている。
【００５４】
この方法は、受け取られた便座の表面エリアを超えて広がる周辺エリアを、上シート上および下シート上に提供すること、ならびに、折り返され、便座の下に配置されるために周辺エリアを形成することをさらに含むことができる。
【００５５】
この方法は、下シート上に開口部を提供することをさらに含むことができ、前記開口部は、上シートと下シートの間に便座が受け取られているときに、便座上に提供された係合部材と位置を合わせるためのものである。
【００５６】
この方法は、受け取られた便座上に提供された係合部材と係合する受取り開口部を、少なくとも下シート上に提供することをさらに含むことができる。
【００５７】
上材料シートを用意することは、上シートが下シートよりも実質的に長くなるような態様の延長部分を有する上シートを用意することを含むことができる。
【００５８】
上材料シートを用意することは、下シートよりも４５０ｍｍ長い上シートを用意することを含むことができる。
【００５９】
この方法は、１つまたは複数の追加の開口部を延長部分上に提供することをさらに含むことができ、この１つまたは複数の追加の開口部は、水タンクまたは支持壁上に提供された１つまたは複数の追加の係合部材と協力して、延長部分を、水タンクまたは支持壁にもたれ掛かった状態に維持するためのものである。
【００６０】
この方法は、追加のパーホレーションが切り裂かれたときに、前記１つまたは複数の追加の開口部を形成する１つまたは複数の追加のパーホレーションを延長部分上に提供することをさらに含むことができる。
【００６１】
この方法は、便座蓋の蝶番が付いていない端とその内部で係合し、またはそのような端をその内部に受け取るポケットを延長部分上に提供することをさらに含むことができる。
【００６２】
この方法は、上シート上または下シート上に１つまたは複数の締結ストリップを提供することをさらに含むことができる。
【００６３】
上シート上または下シート上に１つまたは複数の締結ストリップを提供することは、前記締結ストリップのうちの１つの締結ストリップの被結合端を上シートまたは下シートに結合すること、および、前記締結ストリップのうちの１つの締結ストリップの自由端であり、便座の一部分を取り巻くループが実質的に形成されるような態様で便座の中空部分を通り抜けて上シートの上または下シートの下に延びることができる自由端を提供することを含むことができる。
【００６４】
被結合端を結合することは、前記締結のうちの１つの締結の被結合端を、前記外縁のうちの一方の外縁の近くの中心開口の周囲に沿った位置に結合することを含むことができる。
【００６５】
自由端を提供することは、前記外縁のうちの一方の対向する外縁の近くの中心開口の周囲に沿った別の位置から切り離された自由端を提供することを含むことができる。
【００６６】
この方法は、切り裂かれたときに前記１つまたは複数の締結ストリップを形成する１つまたは複数の締結ストリップパーホレーションを提供することをさらに含むことができる。
【００６７】
以下の説明を、単なる例として、図面とともに検討することによって、当業者には、本発明の実施形態例がよりいっそう理解され、容易に明白となるであろう。
【図面の簡単な説明】
【００６８】
【図１】一実施形態例における水洗トイレの略側面図である。
【図２ａ】一実施形態例における便座カバーの分解図である。
【図２ｂ】一実施形態例における組み立てられた便座カバーの上面図である。
【図２ｃ】一実施施形態例における組み立てられた便座カバーの下面図である。
【図３】一実施形態例における水洗トイレの略側面図である。
【図４ａ】一実施形態例における便座カバーの分解図である。
【図４ｂ】一実施形態例における組み立てられた便座カバーの上面図である。
【図４ｃ】一実施形態例における組み立てられた便座カバーの底面図である。
【図５】一実施形態例における便座カバーの分解図である。
【図６】一実施形態例における便座カバーの分解図である。
【図７ａ】一実施形態例における便座カバーの分解図である。
【図７ｂ】使用中の便座カバーの一実施形態例の分解図である。
【図８】上シートおよび下シートのおおよその寸法を例示的に示す、一実施形態例における組み立てられていない便座カバーの上シートおよび下シートの上面図である。
【図９ａ】一実施形態例における便座カバーの分解図である。
【図９ｂ】組み立てられた便座カバーの一実施形態例の透視図である。
【図９ｃ】使用中の組み立てられたトイレカバーの一実施形態例の代替透視図である。
【図１０】上シートおよび下シートのおおよその寸法を例示的に示す、一実施形態例における組み立てられていない便座カバーの上シートおよび下シートの下面図である。
【図１１】便座カバーを製造する、一実施形態例における方法を示す流れ図である。
【発明を実施するための形態】
【００６９】
特に明記しない限り、この説明で使用される用語「結合された（ｃｏｕｐｌｅｄ）」または「接続された（ｃｏｎｎｅｃｔｅｄ）」は、直接に接続されていること、または１つもしくは複数の中間手段を介して接続されていることをともにカバーすることが意図されている。
【００７０】
この説明では、シートは、本明細書に記載された用途に適した材料のシートを指す。
【００７１】
さらに、本明細書の説明において、語「実質的に（ｓｕｂｓｔａｎｔｉａｌｌｙ）」は、使用されるときには常に、限定はされないが、「全く（ｅｎｔｉｒｅｌｙ）」または「完全に（ｃｏｍｐｌｅｔｅｌｙ）」などを含むことが理解されよう。加えて、「備える（ｃｏｍｐｒｉｓｉｎｇ）」、「備える（ｃｏｍｐｒｉｓｅ）」などの用語は、使用されるときには常に、それらの用語が広く、そのような用語の後に挙げられた要素／構成要素、ならびに明示的に挙げられていない他の構成要素を含む点で、非限定的な記述語であることが意図されている。さらに、「約（ａｂｏｕｔ）」、「およそ（ａｐｐｒｏｘｉｍａｔｅｌｙ）」などの用語は、使用されるときには常に、通常は、合理的な変動、例えば開示された値の＋／−２０％の変動、開示された値の＋／−１０％の変動、開示された値の＋／−５％の変動、または開示された値の４％の分散、または開示された値の３％の分散、または開示された値の２％の分散、または開示された値の１％の分散を意味する。
【００７２】
さらに、本明細書の説明では、ある種の値が範囲として開示されることがある。範囲の終点を示す値は、好ましい範囲を示すことが意図されている。範囲が記載されたときは常に、その範囲が、全ての可能な部分範囲およびその範囲内の個々の数値をカバーし、教示することが意図されている。すなわち、範囲の終点を、柔軟性のない限界と解釈すべきではない。例えば、１％から５％の範囲の記載は、１％から２％、１％から３％、１％から４％、２％から３％などの具体的に開示された部分範囲、ならびに１％、２％、３％、４％、５％などのその範囲内の個々の値を有することが意図されている。上記の特定の開示の意図は、範囲の任意の深さ／幅に適用可能である。
【００７３】
図１は、一実施形態例における水洗トイレ１００の略側面図を示す。水洗トイレ１００は、例えば排泄物を受け取るボウル部分（または便器）１０２を備える。ボウル部分１０２は、ボウル部分１０２の外周またはリム１０６によって画定された開口１０４を備える。
【００７４】
便座１１０は、後端または蝶番の付いた端（以後、蝶番端）１０８のところで、リム１０６に蝶番によって取り付けられている。腰掛けたいときには、便座１１０を展開して、リム１０６の上に便座１１０を水平に置くことができる。この位置を展開位置と呼ぶことがある。便座１１０は、中空部分１１２を有する環形またはリング形であり、展開されてリム１０６の上に水平に置かれたときにリム１０６を実質的に完全に覆う。腰掛けたくないときには、直径に沿って蝶番端１０８の実質的に反対側にある便座１１０の対向する端または前端１１４をリム１０６から持ち上げて、便座１１０を、便器１０２の開口に対して便座１１０が実質的に垂直となるような（図１に示されている）直立位置／垂直位置へ移動させることができる。この位置を非展開位置と呼ぶことがある。いくつかの実施形態では、直立位置にあるときに、便座１１０が、壁面または水洗トイレ１００の水タンクに立て掛けられる場合もある。
【００７５】
腰掛けたいとき、使用者は、使用者の背中が壁面または水洗トイレ１００の水タンクの方を向くような態様で、壁面または水タンクとは逆の方向を向いて便座１１０に腰掛ける。この点に関して、便座１１０の後端または蝶番端１０８は壁面または水タンクに近く、前端１１４は、壁面または水タンクから見て便座１１０の遠位端である。
【００７６】
この実施形態例では、便座１１０が便器１０２に蝶番によって取り付けられている。代替実施形態では、代替手段によって便座が便器に結合される場合がある。例えば、便器のリムを便座が実質的に覆っている展開位置と便座が便器を覆っていない非展開位置との間で、便座を、便器のリム表面の平面に対して実質的に垂直な平面方向に旋回または回転させることができる。
【００７７】
図２ａは、一実施形態例における便座カバーの分解図を示す。便座カバー２００は、第１のシートまたは上シート２０２および第２のシートまたは下シート２０４を備える。上シート２０２および下シート２０４は形状が実質的に長方形であり、２つの側縁、例えば外側縁２０６ａ、２０６ｂのところで、２つの側縁２０６ａ、２０６ｂが直径に沿って互いの反対側にあるような態様で、一緒に結合または封着されている。一緒に結合された上シート２０２および下シート２０４の縁を結合縁と呼ぶ。
【００７８】
図２ｂは、一実施形態例における組み立てられた便座カバー２００の上面図を示す。図２ｂでは、下シート２０４の図が部分的に覆い隠されている。上シート２０２と下シート２０４が一緒に結合されていない封着されてない縁２０８には、カバー２００の口２１０が形成されている。図２ｂに示されているように、上シート２０２と下シート２０４の間、および対向する側縁２０６ａ、２０６ｂ間のカバー２００内に便座１１０が受け取られるような態様で、口２１０を通して便座（図１の１１０と比較されたい）を挿入することができる。したがって、カバー２００は、便座１１０を挿入物として受け取る包被として機能する。
【００７９】
この実施形態例では、便座１１０が、蝶番端１０８のところで便器（図２ａおよび２ｂには示されていない）に蝶番によって取り付けられている。したがって、便座１１０は最初に、前端１１４からカバー２００に挿入される。
【００８０】
図２ｂにおいて、便座１１０は、便座１１０が便座カバー２００内に保持されているときの便座カバー２００内での便座１１０の位置をよりはっきりと示すように示されている。便座カバー２００が使用されており、便座カバー２００が便座１１０を覆っているときには、上から見ても便座１１０が見えないことがあることが理解されよう。
【００８１】
図２ｂに示された実施形態例では、封着されていない口縁２０８を通して便座１１０が挿入されまたはカバー２００から取り出されるような態様で、口２１０の反対側にあるカバー２００の前縁２１２が封着されている（すなわち上シート２０２と下シート２０４が一緒に結合されている）ことが好ましい。これによって、有利には、便座１１０がカバー２００に挿入されたときに便座１１０の前端１１４が縁２１２を超えて延びることを封着された縁２１２が防ぐため、カバー２００を引っ張ってカバー２００を便座１１０に容易にかぶせることを可能にすることができる。
【００８２】
上シート２０２および下シート２０４はそれぞれ、穴部分２１４ａ、２１４ｂ（図２ａ）を、穴部分２１４ａ、２１４ｂ（図２ａ）によって形成された中心開口２１６（図２ｂ）をカバー２００が備えるような態様で備える。中心開口２１６は、カバー２００が使用されている（すなわち便座１１０がカバー２００に挿入されている）ときに便座１１０の中空部分１１２の上または中空部分１１２の内部で中心開口２１６が実質的に位置合わせされるように配置される。中心開口２１６は、便座１１０の中空部分１１２よりも小さい。
【００８３】
便座１１０がカバー２００に挿入されるため、有利には、この実施形態例は、１枚のシートからなる（以後、１枚シートの）先行技術のカバーと比べたときに、よりしっかりとした便座上への取付けを提供する。先行技術の１枚シートのカバーは、便座の表面の上部に置かれるだけであり、便座の表面にしっかりとは固定されない。先行技術の１枚シートのカバーはしばしば、便座の上面に置かれた１枚シートのカバーの上に腰掛けようとして使用者が近づいたときの空気の動きによって、移動したりまたは位置がずれたりする。対照的に、この実施形態例では、便座をカバーに挿入し、カバーによって便座を挟むことができ、したがって、カバーを便座の上によりしっかりと取り付けることができる。
【００８４】
図２ａおよび２ｂに示された実施形態例では、使用前に中心開口２１６が形成されていない。使用前に中心開口が形成される代わりに、上シート２０２および下シート２０４がそれぞれ、切抜き部分の輪郭を描きまたは切抜き部分を画定するパーホレーション２１８ａ、２１８ｂを備える。パーホレーション２１８ａ、２１８ｂが使用者によって破かれたときに、切抜き部分を移動させて、対応するそれぞれの穴部分２１４ａ、２１４ｂを形成することができる。穴部分２１４ａ、２１４ｂはカバー２００の中心開口２１６を形成する。図２ａおよび２ｂに示された実施形態例では、使用前に中心開口２１６が形成されていない。代替実施形態例では、生産時、および使用前に中心開口２１６が形成されてよいことが理解されよう。これにより、使用者は、便座を挿入した直後に、例えばパーホレーション２１８ａ、２１８ｂを切り裂く必要なしに便座カバー、例えば便座カバー２００上に腰掛けることができるため、このことが、使用者に利便性を提供することがある。
【００８５】
図２ａおよび２ｂに示された実施形態例では、パーホレーション２１８ａ、２１８ｂが、穴部分２１４ａ、２１４ｂの全周にわたって完全には形成されない。全周にわたって形成されるのではなく、穴部分２１４ａ、２１４ｂの周囲の対応するそれぞれの部分２２０ａ、２２０ｂにはパーホレーションが形成されない。したがって、パーホレーション２１８ａ、２１８ｂが使用者によって切り裂かれまたは破かれると、切抜き部分が、穴部分２１４ａ、２１４ｂの周囲のパーホレーションが形成されていない部分２２０ａ、２２０ｂから蝶番式に延びるフラップ２２２ａ、２２２ｂを形成する。
【００８６】
この実施形態例では、フラップ２２２ａ、２２２ｂ（図２ｂ）が、縁２１２の近くから蝶番式に延びる。すなわち、パーホレーションが形成されていない部分２２０ａ、２２０ｂが縁２１２の近くにある。便座１１０の前端の近くにあるため、縁２１２を、カバー２００の前縁と呼ぶ。カバー２００が便座１１０とともに使用され、便座１１０が便器（例えば図１の１０２）の上に展開されると、フラップ２２２ａ、２２２ｂは、中心開口２１６および便座１１０の中空部分１１２を通り抜けて、水洗トイレ（例えば図１の１００）のボウル部分（例えば図１の１０２）内へ延びることができる。したがって、フラップ２２２ａ、２２２ｂは、便器（例えば図１の１０２）の内壁の一部分を内張りしまたは覆う。特に、フラップ２２２ａ、２２２ｂは前縁２１２の近くに位置するため、フラップ２２２ａ、２２２ｂによって便器１０２（図１）の前部内壁が内張りされうる。有利には、フラップ２２２ａ、２２２ｂは、男性使用者が腰掛けたときに体の一部が便器１０２（図１）の前部内壁に触れることを防ぎ、したがって便器の内壁の微生物および／または汚物に起因する汚染から使用者を守るバリアを提供する。
【００８７】
図２ａおよび２ｂに示された実施形態例は、上シート２０２と下シート２０４の両方に形成された２つのフラップ２２２ａおよび２２２ｂを示しているが、下シート２０４だけにフラップを形成してもよいことが理解されよう。上シート２０２のパーホレーションを、上シート２０２の切抜き部分が上シート２０２から完全に切り離されるような態様で、穴部分２１４ａの全周にわたって完全に形成することができる。あるいは、上シート２０２だけにフラップを形成し、下シート２０４の切抜き部分が完全に切り離されるようにしてもよい。
【００８８】
図２ｃは、一実施形態例における組み立てられた便座カバー２００の底面図を示す。この実施形態例では、便座１１０が、便座１１０の下面にフック１１６（図１では見えない）を備える。図２ｂに対する上記の説明に記載されたカバー２００の上シート２０２および下シート２０４、封着されていない縁２０８、口２１０、対向する側縁２０６ａ、２０６ｂ、前縁２１２ならびに中心開口２１６も示されている。図解を容易にするために、図２ｃでは、図２ｂには示されているフラップ２２２ａ、２２２ｂが省かれているが、フラップ２２２ａ、２２２ｂが存在することは理解されよう。
【００８９】
図２ｃには便座１１０の下面も示されている。便座１１０は、上シート２０２と下シート２０４の間および対向する側縁２０６ａ、２０６ｂ間のカバー２００内に受け取られている。図２ｂに対する上記の説明に記載された便座１１０の蝶番端１０８、前端１１４および中空部分１１２も示されている。図２ｂと同様に、図２ｃにおいて、便座１１０は、使用されているときの便座カバー２００内での便座１１０の位置をよりはっきりと示すように示されている。便座カバー２００が使用されており、便座カバー２００が便座１１０を覆っているときには、下から見ても便座１１０が見えないことがあることが理解されよう。
【００９０】
便座１１０の下面は、便座１１０の下面から突き出たフック１１６を備える。便座の下面は、便座が展開されたときに便器と接触しまたは便器に面する便座の面であることが理解されよう。カバー２００はさらに、カバー２００の下面に配置された開口部２２４を備え、開口部２２４は、便座１１０の上にカバー２００が取り付けられた（すなわち便座１１０がカバー２００に挿入された）ときにフック１１６と位置合わせされる。
【００９１】
カバー２００はさらに、カバー２００の周辺エリアに受取り開口部２２６を備える。カバー２００の周辺エリアは、上シート２０２および下シート２０４が、受け取られた便座の表面エリアを超えて、受け取られた便座を間に挟まないような態様で延びるエリアである。便座がカバーの中に受け取られているときに、カバー２００の周辺エリアを、折り返し線２３０に沿ってフック１１６の方へ折り返すことができる。カバー２００の周辺エリアが折り返されると、フック１１６はさらに受取り開口部２２６と係合して、カバー２００を便座１１０上にさらに固定することができる。
【００９２】
便座１１０の下面にフック１１６を提供すると、便座１１０がカバー２００に挿入されたときに、開口部２２４によってカバー２００を便座１１０にさらに固定することを可能にすることができる。有利には、便座１１０の下面のフック１１６が開口部２２４と協力して、カバー２００が便座１１０に対して動くことを防ぐため、これによって、使用者が便座に腰掛けたときにカバー２００が便座１１０の周りで容易に移動することをさらに防ぐことができる。したがって、フック１１６は係合部材として機能する。
【００９３】
さらに、受取り開口部２２６がさらにフック１１６と係合するような態様で、カバー２００の周辺エリアが折り返され、例えば便座１１０の下に配置されると、便座１１０に対するカバー２００の固定はよりいっそう強化される。
【００９４】
図２ａ、２ｂおよび２ｃに示された実施形態例では、カバー２００が組み立てられたとき、すなわち上シート２０２と下シート２０４が位置合わせされたときに、受取り開口部２２６が実質的に位置合わせされるような態様で、上シート２０２と下シート２０４の両方に受取り開口部２２６が形成される。代替実施形態例では、受取り開口部２２６が下シート２０４にだけ提供されうる。
【００９５】
代替実施形態例では、上シートおよび／または下シートのうちの一方または両方のシート上に形成された開口部２２４および／または受取り開口部２２６が、穴部分２１４ａ、２１４ｂに対して説明したパーホレーションと同様のパーホレーションから切り抜かれる切抜き部分であってよい。開口部２２４および／または受取り開口部２２６を、上シートおよび／または下シートに蝶番によって取り付けられ、上シート２０２および／または下シート２０４から完全には切り離されないような態様の開口部フラップとして形成することもできる。
【００９６】
フラップが上シートおよび下シートから完全には切り離されない場合には切抜き部分を取り除く必要がないため、いくつかの実施形態例でフラップを使用すると、カバーの製造コストおよび材料コストを有利に節減することができる。加えて、フラップを使用することにより、切抜き部分の散乱の発生が減る可能性があるため、トイレの清掃を減らすことができる可能性がある。
【００９７】
代替実施形態例では、開口部および／または受取り開口部を形成するために使用者がパーホレーションを切り裂く必要がないような態様で、開口部および／または受取り開口部が製造中に、および使用前には既に形成されてよいことが理解されよう。
【００９８】
便座カバーのサイズは、その便座カバーを使用することが意図された便座のサイズに基づくことが理解されよう。サイズが約３６５ｍｍ×４２０ｍｍである便座サイズに対しては、便座カバーのサイズを約３９５ｍｍ×４５０ｍｍとすることができる。
【００９９】
さらに、便座カバーの中心開口のサイズも便座の中空部分に基づくことが理解されよう。大きすぎる中心開口は、使用中に便器内の汚水がはね、使用者にかかることを防ぐ機能を果たさない可能性がある。小ささすぎる中心開口は、正確な位置に腰掛けて、便座カバーが汚されないように利用することを、使用者に要求する可能性がある。典型的には、差渡し約２２０ｍｍ×２６０ｍｍの中空部分を有する便座に対しては、便座カバーの中心開口が差渡し約１８０ｍｍ×２２０ｍｍである。
【０１００】
図３は、一実施形態例における水洗トイレ３００の略側面図を示す。水洗トイレ３００は、例えば排泄物を受け取るボウル部分（または便器）３０２を備える。ボウル部分３０２は、ボウル部分３０２の外周またはリム３０６によって画定された開口３０４を備える。
【０１０１】
便座３１０は、後端または蝶番端３０８のところで、リム３０６に蝶番によって取り付けられている。腰掛けたいときには、便座３１０を展開して、リム３０６の上に便座３１０を水平に置くことができる。この位置を展開位置と呼ぶことがある。便座３１０は、蝶番端３０８から延びて中空部分３１２の周りにＵ字形を形成する２本のフォークまたはアーム３１６を便座３１０が備えるような態様の蹄鉄形である。展開されてリム３０６の上に水平に置かれたときに、便座３１０は、アーム３１６間の中断された空間を除いてリム３０６を実質的に完全に覆う。腰掛けたくないときには、直径に沿って蝶番端３０８の実質的に反対側にある便座３１０の対向する端または前端３１４をリム３０６から持ち上げて、便座３１０を、便器３０２の開口に対して便座３１０が実質的に垂直となるような直立位置／垂直位置へ移動させることができる。この位置を非展開位置と呼ぶことがある。いくつかの実施形態では、直立位置にあるときに、便座３１０が、壁面または水洗トイレ３００の水タンクに立て掛けられる場合もある。図３は、展開位置と直立位置の間にある便座３１０を示している。
【０１０２】
腰掛けたいとき、使用者は通常、使用者の背中が壁面または水洗トイレ３００の水タンクの方を向くような態様で、壁面または水タンクとは逆の方向を向いて便座３１０に腰掛ける。この点に関して、便座３１０の後端または蝶番端３０８は壁面または水タンクに近く、前端３１４は、壁面または水タンクから見て便座３１０の遠位端である。
【０１０３】
この実施形態例では、便座３１０が便器３０２に蝶番によって取り付けられている。代替実施形態では、代替手段によって便座が便器に結合されてよい。例えば、便器のリムを便座が実質的に覆っている展開位置と便座が便器を覆っていない非展開位置との間で、便座を、便器のリム表面の平面に対して実質的に垂直な平面方向に旋回または回転させることもできる。
【０１０４】
図４ａは、一実施形態例における便座カバーの分解図を示す。便座カバー４００は、第１のシートまたは上シート４０２および第２のシートまたは下シート４０４を備える。上シート４０２および下シート４０４は形状が実質的に長方形であり、上シート４０２と下シート４０４は、２つの側縁または外縁４０６ａ、４０６ｂのところで、２つの側縁４０６ａ、４０６ｂが直径に沿って互いの反対側にあるような態様で、一緒に結合または封着されている。一緒に結合された上シート４０２および下シート４０４の縁を結合縁と呼ぶ。
【０１０５】
図４ｂは、一実施形態例における組み立てられた便座カバー４００の上面図を示す。図４ｂでは、下シート４０４の図が部分的に覆い隠されている。上シート４０２と下シート４０４が一緒に結合されていない封着されてない縁４０８には、カバー４００の口４１０が形成されている。図４ｂに示されているように、上シート４０２と下シート４０４の間および対向する側縁４０６ａ、４０６ｂ間のカバー４００内に便座３１０が受け取られるような態様で、口４１０を通して便座（図３の３１０と比較されたい）を挿入することができる。したがって、カバー４００は、便座３１０を挿入物として受け取る包被として機能する。
【０１０６】
この実施形態例では、便座３１０が、蝶番端３０８のところで便器（図４ａおよび４ｂには示されていない）に蝶番によって取り付けられている。したがって、便座３１０は最初に、前端３１４からカバー４００に挿入される。前端３１４は、直径に沿って蝶番端３０８の実質的に反対側にある。
【０１０７】
図４ｂにおいて、便座３１０は、便座３１０が便座カバー４００内に保持されているときの便座カバー４００内での便座３１０の位置をよりはっきりと示すように示されている。便座カバー４００が使用されており、便座カバー４００が便座３１０を覆っているときには、上から見ても便座３１０が見えないことがあることが理解されよう。
【０１０８】
図４ｂに示された実施形態例では、封着されていない口縁４０８を通して便座３１０が挿入されまたはカバー４００から取り出されるような態様で、口４１０の反対側にあるカバー４００の前縁４１２が封着されている（すなわち上シート４０２と下シート４０４が一緒に結合されている）。これによって、有利には、便座３１０がカバー４００に挿入されたときに便座３１０の前端３１４が縁４１２を超えて延びることを封着された縁４１２が防ぐことができるため、カバー４００を引っ張ってカバー４００を便座３１０に容易にかぶせることを可能にすることができる。
【０１０９】
上シート４０２および下シート４０４はそれぞれ、穴部分４１４ａ、４１４ｂ（図４ａ）を、穴部分４１４ａ、４１４ｂ（図４ａ）によって形成された中心開口４１６（図４ｂ）をカバー４００が備えるような態様で備える。中心開口４１６は、カバー４００が使用されている（すなわち便座３１０がカバー４００に挿入されている）ときに便座３１０の中空部分３１２の上または中空部分３１２の内部で中心開口４１６が実質的に位置合わせされるように配置される。
【０１１０】
図４ａおよび４ｂに示された実施形態例では、使用前に中心開口４１６が形成されていない。使用前に中心開口が形成される代わりに、上シート４０２および下シート４０４がそれぞれ、切抜き部分の輪郭を描きまたは切抜き部分を画定するパーホレーション４１８ａ、４１８ｂを備える。パーホレーション４１８ａ、４１８ｂが使用者によって切り裂かれた、または破かれたときに、切抜き部分を移動させて、対応するそれぞれの穴部分４１４ａ、４１４ｂを形成することができる。穴部分４１４ａ、４１４ｂはカバー４００の中心開口４１６を形成する。
【０１１１】
図４ａおよび４ｂに示された実施形態例では、パーホレーション４１８ａ、４１８ｂが、穴部分４１４ａ、４１４ｂの全周にわたって完全には形成されない。全周にわたって形成されるのではなく、穴部分４１４ａ、４１４ｂの周囲の対応するそれぞれの部分４２０ａ、４２０ｂにはパーホレーションが形成されておらず、例えば使用者は、それらの部分４２０ａ、４２０ｂを容易に切り裂きまたは破くことができない。したがって、パーホレーション４１８ａ、４１８ｂが使用者によって切り裂かれまたは破かれると、切抜き部分が、穴部分４１４ａ、４１４ｂの周囲のパーホレーションが形成されていない部分４２０ａ、４２０ｂから蝶番式に延びるフラップ４２２ａ、４２２ｂを形成する。
【０１１２】
この実施形態例では、フラップ４２２ａ、４２２ｂ（図４ｂ）が、縁４１２の近くから蝶番式に延びる。すなわち、パーホレーションが形成されていない部分４２０ａ、４２０ｂが縁４１２の近くにある。便座３１０の前端の近くにあるため、縁４１２を、カバー４００の前縁と呼ぶ。カバー４００が便座３１０とともに使用され、便座３１０が便器（例えば図３の３０２）の上に展開されると、フラップ４２２ａ、４２２ｂは、中心開口４１６および便座３１０の中空部分３１２を通り抜けて、水洗トイレ（例えば図３の３００）のボウル部分（例えば図３の３０２）内へ延びることができる。したがって、フラップ４２２ａ、４２２ｂは、便器（例えば図３の３０２）の内壁の一部分を内張りしまたは覆う。特に、フラップ４２２ａ、４２２ｂは前縁４１２の近くに位置するため、フラップ４２２ａ、４２２ｂによって便器３０２（図３）の前部内壁が内張りされうる。有利には、フラップ４２２ａ、４２２ｂは、男性使用者が腰掛けたときに体の一部が便器３０２（図３）の前部内壁に触れることを防ぎ、したがって便器の内壁の微生物および／または汚物に起因する汚染から使用者を守るバリアを提供する。
【０１１３】
図４ａおよび４ｂに示された実施形態例は、２つのフラップ４２２ａおよび４２２ｂを示しているが、下シート４０４だけにフラップを形成してもよいことが理解されよう。上シート４０２のパーホレーションを、上シート４０２の切抜き部分が上シート４０２から完全に切り離されるような態様で、穴部分の全周にわたって完全に形成することができる。あるいは、上シート４０２だけにフラップを形成し、下シート４０４の切抜き部分が完全に切り離されるようにしてもよい。
【０１１４】
この実施形態例では、上シート４０２と下シート４０４が、側縁または外縁４０６ａ、４０６ｂのところで一緒に結合されていることに加えて、内縁４２４ａ、４２４ｂのところでも一緒に結合または封着されている。それぞれの内縁４２４ａ、４２４ｂは、対応するそれぞれの外縁４０６ａ、４０６ｂと中心開口４１６との間に位置し、好ましくは、実質的に、対応するそれぞれの外縁４０６ａ、４０６ｂと並んで位置する。内縁４２４ａ、４２４ｂおよび外縁４０６ａ、４０６ｂのところでカバー４００の上シート４０２と下シート４０４が一緒に結合されると、蹄鉄形便座３１０の対応するそれぞれのアームまたはフォーク３１６を受け取る対応するそれぞれのスリーブ（それぞれの内縁と外縁の間の部分）が画定される。すなわち、それぞれのスリーブは、蹄鉄形便座３１０の１本のアームまたはフォーク３１６を受け取ることができる。それぞれのスリーブの形状は実質的に筒形とすることができる。したがって、蹄鉄形便座３１０のアームまたはフォーク３１６を受け取るのに十分な幅を有する対応するそれぞれのスリーブを形成するため、内縁４２４ａ、４２４ｂは、対応するそれぞれの外縁４０６ａ、４０６ｂから距離を置いて配置される。
【０１１５】
便座カバーのサイズは、その便座カバーを使用することが意図された便座のサイズに基づくことが理解されよう。サイズが約３６５ｍｍ×４２０ｍｍである便座サイズに対しては、便座カバーのサイズを約３９５ｍｍ×４５０ｍｍとすることができる。
【０１１６】
さらに、便座カバーの中心開口のサイズも便座の中空部分に基づくことが理解されよう。大きすぎる中心開口は、使用中に便器内の汚水がはね、使用者にかかることを防ぐ機能を果たさない可能性がある。小ささすぎる中心開口は、正確な位置に腰掛けて、便座カバーが汚されないように利用することを、使用者に要求する可能性がある。典型的には、差渡し約２２０ｍｍ×２６０ｍｍの中空部分を有する便座に対しては、便座カバーの中心開口が差渡し約１８０ｍｍ×２２０ｍｍである。
【０１１７】
加えて、蹄鉄形便座については、便座カバーのスリーブの幅が蹄鉄形便座のアームまたはフォークのサイズに基づく。典型的には、幅がそれぞれ約７０ｍｍのアームまたはフォークを有する蹄鉄形便座に対しては、便座カバーのスリーブの幅をそれぞれ約１００ｍｍとすることができる。
【０１１８】
この実施形態例では、便座３１０がカバー４００の中に受け取られているときに、内縁４２４ａ、４２４ｂが実質的に、便座３１０の開いた中空部分３１２の中にあるような態様で、結合された内縁４２４ａ、４２４ｂの長さが外縁４０６ａ、４０６ｂの長さよりも短い。
【０１１９】
代替実施形態例では、中心開口４１６を取り囲む円形または長円形の完全なリングを形成するように内縁を接合することができる。すなわち、実質的に縁の周囲に沿って、かつ中心開口４１６を取り巻いて、上シートと下シートの内縁を結合することができる。
【０１２０】
便座３１０の対応するそれぞれのアームまたはフォーク３１６を受け取るスリーブを提供すると、有利には、カバー４００を便座３１０によりしっかりと取り付けることを可能にすることができる。さらに、このスリーブは、カバー４００が便座３１０の上に取り付けられたときに、カバー４００が、便座３００の部分が中心開口４１６を通して露出するような態様で横に滑る可能性を低下させることができる。
【０１２１】
すなわち、結合された内縁４２４ａ、４２４ｂは、アームまたはフォーク３１６上の汚物または染みが内縁４２４ａ、４２４ｂを超えて染み出し、その便座を使用している使用者に触れることが防止されるような態様で、便座のアームまたはフォーク３１６をさらに有利に封着する。
【０１２２】
加えて、中心開口４１６を取り囲む円形または長円形の完全なリングを形成するように内縁が接合される実施形態例では、内縁の封着によって、便座カバー４００が使用されているときにカバー４００のシート４０２、４０４間に使用者の滴下物が捕捉されることを、さらに有利に防ぐことができる。特に、便座カバー４００が使用されているときには便座と下シート４０４との間に隙間がない。したがって、使用者からの滴下物が、意図せずに、下シート４０４の下に垂れた部分に付着することを防ぐことができる。
【０１２３】
図４ｃは、一実施形態例における組み立てられた便座カバー４００の底面図を示す。この実施形態例では、便座３１０が、便座の下面にフック３１８を備える。図４ｂに対する上記の説明に記載されたカバー４００の上シート４０２および下シート４０４、封着されていない縁４０８、口４１０、対向する側縁または外縁４０６ａ、４０６ｂ、前縁４１２ならびに中心開口４１６も示されている。図解を容易にするため、図４ｃでは、図４ｂには示されているフラップ４１４ａ、４１４ｂが省かれている。
【０１２４】
図４ｃには便座３１０の下面も示されている。便座３１０は、上シート４０２と下シート４０４の間および対向する側縁４０６ａ、４０６ｂ間のカバー４００内に受け取られている。蹄鉄形便座３１０のアームまたはフォーク３１６は、内縁４２４ａ、４２４ｂと外縁４０６ａ、４０６ｂとによって画定されたスリーブの中に保持されている。図４ｂに対する上記の説明に記載された便座３１０の蝶番端３０８、前端３１４および中空部分３１２も示されている。図４ｂと同様に、図４ｃにおいて、便座３１０は、使用されているときの便座カバー４００内での便座３１０の位置をよりはっきりと示すように示されている。便座カバー４００が使用されており、便座カバー４００が便座３１０を覆っているときには、下から見ても便座３１０が見えないことがあることが理解されよう。
【０１２５】
便座３１０の下面は、便座３１０の下面から突き出たフック３１８を備える。便座の下面は、便座が展開されたときに便器と接触しまたは便器に面する便座の面であることが理解されよう。カバー４００はさらに、カバー４００の下面に配置された開口部４２８を備え、開口部４２８は、便座３１０の上にカバー４００が取り付けられた（すなわち便座３１０がカバー４００に挿入された）ときにフック３１８と位置合わせされる。
【０１２６】
カバー４００はさらに、カバー４００の周辺エリアに受取り開口部４２６を備える。カバー４００の周辺エリアは、上シート４０２および下シート４０４が、受け取られた便座の表面エリアを超えて、受け取られた便座を間に挟まないような態様で延びるエリアである。便座がカバーの中に受け取られているときに、カバー４００の周辺エリアを、折り返し線４３０に沿って便座３１０の下面のフック３１８の方へ折り返すことができる。カバー４００の周辺エリアが折り返されると、フック３１８はさらに受取り開口部４２６と係合して、カバー４００を便座３１０上にさらに固定する。
【０１２７】
便座３１０の下面にフック３１８を提供すると、便座３１０がカバー４００に挿入されたときに、開口部４２８によってカバー４００を便座３１０にさらに固定することを可能にすることができる。有利には、便座３１０の下面のフック３１８が開口部４２８と協力して、カバー４００が便座３１０に対して動くことを防ぐため、これによって、使用者が便座に腰掛けたときにカバー４００が便座３１０の周りで容易に移動することをさらに防ぐことができる。フック３１８は係合部材として機能する。
【０１２８】
さらに、受取り開口部４２６がさらにフック３１８と係合するような態様でカバー４００の周辺エリアが折り返されると、便座３１０に対するカバー４００の固定はよりいっそう強化される。
【０１２９】
図４ａ、４ｂおよび４ｃに示された実施形態例では、カバー４００が組み立てられたとき、すなわち上シート４０２と下シート４０４が位置合わせされたときに、受取り開口部４２６が実質的に位置合わせされるような態様で、上シート４０２と下シート４０４の両方に受取り開口部４２６が形成される。代替実施形態例では、受取り開口部４２６が下シート４０４にだけ提供される。
【０１３０】
代替実施形態例では、上シートおよび／または下シートのうちの一方または両方のシート上に形成された開口部４２８および／または受取り開口部４２６が、穴部分４１４ａ、４１４ｂに対して説明したパーホレーションと同様のパーホレーションから切り抜かれる切抜き部分であってよい。開口部４２８および／または受取り開口部４２６を、上シートおよび／または下シートに蝶番によって取り付けられ、上シート４０２および／または下シート４０４から完全には切り離されないような態様の開口部フラップとして形成することもできる。
【０１３１】
フラップが上シートおよび下シートから完全には切り離されない場合には切抜き部分を取り除く必要がないため、いくつかの実施形態例でフラップを使用すると、カバーの製造コストおよび材料コストを有利に節減することができる。加えて、フラップを使用することにより、切抜き部分の散乱の発生が減る可能性があるため、トイレの清掃を減らすことができる可能性がある。
【０１３２】
図５は、一実施形態例における便座カバー５００の分解図を示す。便座カバー５００は、図２ａ、２ｂおよび２ｃに描かれた便座カバー２００と同様だが、穴部分の設計が異なる。穴部分５０２ａおよび５０２ｂは異なる形状を有し、実質的に２つの部分からなる。穴部分５０２ａおよび５０２ｂは、（形成されたときの）フラップのサイズが変更可能であることを可能にする追加のパーホレーション５０４ａ、５０４ｂを備える。図解を容易にするため、便座カバー５００の上シート、下シート、開口部、縁などの他の構成要素は描写または図示されていない。
【０１３３】
例えば図２ｂおよび４ｂに描かれた実施形態例では、フラップ（例えばそれぞれ図２ｂおよび４ｂの符号２２２ａ、２２２ｂおよび４２２ａ、４２２ｂ）が、パーホレーション（例えばそれぞれ図２ｂおよび４ｂの符号２１８ａ、２１８ｂおよび４１８ａ、４１８ｂ）が切り裂かれたときに形成されるものとして示されている。したがって、フラップ（例えばそれぞれ図２ｂおよび４ｂの符号２２２ａ、２２２ｂおよび４２２ａ、４２２ｂ）のサイズは、実質的に穴部分の周囲に沿って形成されたパーホレーション（例えばそれぞれ図２ｂおよび４ｂの符号２１８ａ、２１８ｂおよび４１８ａ、４１８ｂ）によって画定される。
【０１３４】
図５に戻ると、追加のパーホレーション５０４ａ、５０４ｂは、対応するそれぞれの蝶番端５０８ａ、５０８ｂの反対側の対応するそれぞれの部分５０６ａ、５０６ｂ（図５では陰影が付けられている）を、便座カバー５００から完全に切り離し除去することを可能にすることができる。これによって、形成されるときにフラップ（例えば部分５１０ａ、５１０ｂ）のサイズを変更することが効果的に可能になる。特に、便座カバー５００に形成されたフラップ（例えば部分５１０ａ、５１０ｂ）は、図２ａに示された便座カバー２００に形成されたフラップよりも比較的に小さい。これによって、フラップのサイズを小さくすることを可能にすることができ、有利である。これは、フラップのサイズが（図２ａの場合のように）穴部分全体のサイズと同じであると、その結果として、展開された便座の上にカバーが置かれたときにフラップが便器内の水に接触する可能性があるためである。
【０１３５】
便器内の水は例えば微生物および細菌によって汚染されている可能性があり、この水がフラップに接触した場合にはフラップが汚染される可能性があることは理解されよう。この汚染された水は、フラップを介して、腰掛けた使用者の方へ染み出す可能性がある。さらに、使用後に便座カバーを除去するときに、比較的に大きなサイズの汚染されたフラップは取扱いがより困難であることがある。
【０１３６】
図６は、一実施形態例における便座カバー６００の分解図を示す。便座カバー６００は、図２ａ、２ｂおよび２ｃに描かれた便座カバー２００と同様であり、下シート６０４に追加の開口６０６をさらに備える。この追加の開口は上シート６０２上には存在しない。追加の開口６０６は、下シート６０４上の封着されていない縁／口縁６０８間に配置され、実質的に、対向する外縁を横切って延びる。図解を容易にするため、便座カバー６００の開口部、縁などの便座カバーの他の構成要素は描写または図示されていない。
【０１３７】
便座カバー６００の下シート６０４上の追加の開口６０６は、便座カバー６００が使用されているときにカバー６００のシート６０２、６０４間に使用者の滴下物が捕捉されることを、有利に防ぐことができる。特に、便座カバー６００が使用されているときに、下シート６０４が下に垂れるのを最小限に抑えること、または便座と下シート６０４の間の隙間を最小化することができる。したがって、使用者からの滴下物が、意図せずに、下シート６０４の下に垂れた部分に付着することを防ぐことができる。
【０１３８】
図７ａは、一実施形態例における便座カバー７００の分解図を示す。便座カバー７００は、それぞれ図２ａ〜ｃおよび５に描かれた便座カバー２００および５００と同様である。便座カバー７００は上シート７０２ａおよび下シート７０２ｂを備え、これらのシートはそれぞれ、中心開口およびフラップが形成されることを可能にするパーホレーション７０６ａおよび７０６ｂを備える。この実施形態例では、上シート７０２ａと下シート７０２ｂの対向する外側縁および前端が一緒に封着または結合されて、組み立てられた便座カバー７００を形成する。しかしながら、図解を容易にするため、図７ａでは、それらのシートが分離されて示されている。
【０１３９】
図５に描かれた便座カバー５００に加えて、上シート７０２ａは、上シート７０２ａの後縁または口縁７１０から延びる、上シート７０２ａが下シート７０２ｂよりも長くなるような態様の延長部分７０８をさらに備える。図解を容易にするため、便座カバーの他の実施形態例（例えば図２ｂ、２ｃおよび４ｂ、４ｃの符号２００、４００）に描かれた構成要素などの便座カバー７００の他の構成要素は描写または図示されていない。
【０１４０】
一実施形態例では、上シート７０２ａが、下シート７０２ｂよりも約４５０ｍｍ長い。上シート７０２ａの延長部分７０８は、例えばトイレの水タンクまたは支持壁面に添わせることができる。
【０１４１】
図７ｂは、一実施形態例における便座カバー７００の透視図を示す。図７ｂに示されているように、上シート７０２ａの延長部分７０８は、例えばトイレの水タンクまたは支持壁面７１６に添う。延長部分７０８は、パーホレーション７０４（図７ａ参照）を切り裂くことによって形成することができる、例えば上の図４ｃに描かれた開口部４２６／４２８と同様の１つまたは複数の開口部７１２を備えることができる。この実施形態例では、水タンクまたは支持壁面７１６が係合手段７１４（例えばフック）を備え、係合手段７１４は、開口部７１２と協力して、上シート７０２ａの延長部分７０８を、例えば水タンクまたは支持壁面に対して固定または保持する。
【０１４２】
延長部分７０８は、有利には、トイレのより広いエリアを覆うことを可能にすることができる。便座７２０の蝶番端７１８の付近のエリアは、立っている男性使用者によって残された除去するのが困難な尿によって汚されている可能性があることが理解されよう。延長部分７０８は、有利には、便座の後部、特に、便座７２０が便器のリムに接続された便座７２０の蝶番端（例えば図７ｂの符号７１８）のところをより十分に覆うことができる。
【０１４３】
図７ａおよび７ｂを参照すると、下シート７０２ｂはさらに、締結ストリップ７２２ａ、７２２ｂを備える。締結ストリップ７２２ａ、７２２ｂは、下シート７０２ｂの別の追加のパーホレーション（または締結ストリップパーホレーション）７３２から形成される。締結ストリップ７２２ａ、７２２ｂは、形成されたとき（すなわちこれらの別の追加のパーホレーションが切り裂かれたとき）に、締結ストリップ７２２ａ、７２２ｂが、下シート７０２ｂに結合された対応するそれぞれの被結合端７２４ａ、７２４ｂと、自由端７２６ａ、７２６ｂとを備えるような態様のストリップである。
【０１４４】
図７ａおよび７ｂに示された実施形態例では、締結ストリップ７２２ａ、７２２ｂの被結合端７２４ａ、７２４ｂが、カバー７００の結合側縁を形成する下シート７０２ｂの側縁から外れた位置で下シート７０２ｂに結合されており、自由端７２６ａ、７２６ｂは、下シート７０２ｂから切り離され、カバー７００の反対側の結合側縁まで延びる。
【０１４５】
図７ｂを特に参照すると、上シート７０２ａと下シート７０２ｂの間に便座７２０を置いて便座カバー７００が使用されるとき、締結ストリップ７２２ａ、７２２ｂの自由端７２６ａ、７２６ｂは、便座７２０の中空部分７３０および便座カバー７００（具体的には上シート７０２ａ）に形成された中心開口７２８を通り抜けて延び、次いで、中空部分７２６および中心開口７２８の中心から、実質的に対応するそれぞれの被結合端７２４ａ、７２４ｂの方向へ、半径方向に引っ張られまたは延ばされる（符号７３４ａ、７３４ｂによって示された矢印を参照されたい）。このとき、自由端７２６ａ、７２６ｂは、展開されたときに締結ストリップ７２２ａ、７２２ｂが、便座７２０の一部分を取り巻くループを実質的に形成し、中空部分７２８および中心開口７３０を妨げたりまたは塞いだりしないような態様で引っ張られまたは延ばされる。したがって、有利には、締結ストリップ７２２ａ、７２２ｂは、便座カバー７００を便座７２０に固定または締結することを可能にすることができる。
【０１４６】
その上、さらに有利には、締結ストリップ７２２ａ、７２２ｂは、排泄物、例えば尿または他の望ましくない物質が便座７２０からシートとシートの間を通って染み出し、使用者に達することがないような態様で、上シート７０２ａと下シート７０２ｂとを、間に便座７２０を挟んで一緒に結合することを可能にすることができる。
【０１４７】
加えて、締結ストリップ７２２ａ、７２２ｂを、蹄鉄形便座用の便座カバーで使用することもできる。そのような実施形態では、締結ストリップ７２２ａ、７２２ｂが便座を取り巻くループを形成するときに、それらのストリップが内縁の封着を提供するため、内縁（例えば図４ｂの４２４ａ、４２４ｂ）を封着する追加のステップが必要ない。これによって、有利には、便座カバーの製造工程のコストおよび複雑さを低下させることができる。
【０１４８】
図８は、図７ａおよび７ｂの便座カバー７００の上シート７０２ａおよび下シート７０２ｂのおおよその寸法を例示的に示す。図８に示されているように、下シート７０２ｂの寸法は約４５０ｍｍ×３９５ｍｍである。上シートは、上シートが下シートよりも長くなるような態様の延長部分をさらに備え、上シートの寸法は９００ｍｍ×３６５ｍｍである。上シートと下シートの両方の中心開口７２８（形成されたとき）は２６０ｍｍ×２１５ｍｍの長円形である。締結ストリップ７２２ａ、７２２ｂがそれぞれ実質的に便座カバー７００の幅を横切って延びるように、締結ストリップ７２２ａ、７２２ｂ（形成されたとき）の寸法はそれぞれ約３４０ｍｍ×６０ｍｍである。図８に示された寸法は例示だけが目的であることが理解されよう。
【０１４９】
図７ａおよび７ｂに示された実施形態例では、締結ストリップ７２２ａ、７２２ｂが下シート７０２ｂ上に形成されている。代替実施形態例では、幅広くそして例示的に記載された本発明の範囲から逸脱することなく、上シート７０２ａと下シート７０２ｂのうちの一方または両方のシートに締結ストリップを形成することができることが理解されよう。本発明の範囲は、記載された特定の寸法によって限定または制限されない。
【０１５０】
図７ａおよび７ｂに示された１つまたは複数の開口部７１２の使用は任意であること、および開口部７１２と協力して追加の固定手段を提供する係合手段を持たずに、摩擦係合するために水タンクまたは支持壁面もしくは支持要素に延長部分７０８を添わせることができることが理解されよう。
【０１５１】
例えば水タンクまたは支持壁面もしくは支持要素に添わせることに加えて、便座の蓋に延長部分７０８を添わせることもできることが、さらに理解されよう。
【０１５２】
図９ａは、一実施形態例における便座カバー９００の分解図を示す。便座カバー９００は、上シート９０２ａおよび下シート９０２ｂを備える。組み立てられた便座カバー９００では、上シート９０２ａと下シート９０２ｂが、上シート９０２ａおよび下シート９０２ｂの対応するそれぞれの外側縁９０４、９０６および前端９０８のところで一緒に封着または結合されている。図解を容易にするため、図９ａでは、上シートと下シートの対向する外側縁９０４、９０６および前端９０８が分離されて示されている。
【０１５３】
図９ｂは、組み立てられた便座カバー９００の一実施形態例の透視図を示す。図９ｂに示されているように、上シート９０２ａと下シート９０２ｂの外側縁９０４、９０６および前端９０８は、便座カバー９００が組み立てられるときに一緒に封着される。
【０１５４】
図９ａおよび９ｂを参照すると、封着されてない縁または端９１０は、口（図９ａおよび９ｂには示されていない）を形成することを可能にする。この口は、便座カバー９００の口を通して便座を挿入し、上シート９０２ａと下シート９０２ｂの間および対向する側縁９０４、９０６間のカバー９００内に便座を受け取ることができるような態様で形成される。したがって、カバー９００は、便座を挿入物として受け取る包被として機能する。図解を容易にするため、図９ａおよび９ｂには便座が示されていない。
【０１５５】
図９ｃは、便座９４０とともに使用されているときの便座カバー９００の一実施形態例の代替透視図を示す。図９ｃでは、便座９４０が、カバー９００の中に便座９４０が受け取られるような態様で、便座カバー９００の口９１８を通して挿入されている。便座カバー９００内での便座９４０の位置を示すため、便座９４０が（破線で）部分的に示されている。便座９４０が便座カバー９００の中に受け取られているときには、便座９４０が見えないことがあることが理解されよう。
【０１５６】
例えば図２ａ、２ｂ、２ｃに描かれたカバー２００と同様に、カバー９００の上シート９０２ａおよび下シート９０ｂは、切抜き部分の輪郭を描きまたは切抜き部分を画定するパーホレーション９１２（図９ａ参照）であって、パーホレーション９１２（図９ａ参照）が例えば使用者によって破かれたときに、カバー９００に中心開口９１６（図９ｂおよび９ｃ参照）を形成する穴部分が、上シート９０２ａおよび下シート９０２ｂに形成されるような態様のパーホレーション９１２を備える。この実施形態例では、製造時に中心開口９１６が形成されず、使用前に使用者がパーホレーションを切り裂いて中心開口９１６を形成する。代替実施形態例では、生産時、および使用前に中心開口９１６が形成されてよいことが理解されよう。
【０１５７】
これらの実施形態例では、パーホレーション９１２が、中心開口９１６（図９ａおよび９ｂ参照）の全周にわたって完全には形成されない。全周にわたって形成されるのではなく、パーホレーションが切り裂かれたときに、前端９０８の近くから蝶番式に延びるフラップ、例えばフラップ９２４（図９ｃ）が形成されるように、中心開口の周囲の部分９２２（図９ａ）にはパーホレーションが形成されない。フラップ９２４は、中心開口９１６および便座９４０の中空部分を通り抜けて、水洗トイレ（例えば図１の１００）のボウル部分内へ延びる。したがって、このフラップは、便器の内壁の一部分を内張りしまたは覆うことができる。
【０１５８】
形成されたときのフラップ９２４（図９ｃ）のサイズを変更して（または小さくして）、フラップ９２４（図９ｃ）のサイズが穴部分または中心開口の全体サイズと同じにならないようにすることを可能にするため、この実施形態例では、カバー９００の上シート９０２ａおよび下シート９０２ｂに、（図５に描かれた追加のパーホレーション５０４ａ、５０４ｂと同様の）追加のパーホレーション９２６が提供される。これによって、カバーの使用中に、大きすぎることがあるフラップが、便器内の水に接触することを有利に防ぐことができる。
【０１５９】
図９ｂおよび９ｃを参照すると、カバー９００はさらに、締結ストリップ９２８ａおよび９２８ｂを備える。締結ストリップ９２８ａ、９２８ｂは、上シートと下シートの両方の別の追加のパーホレーション（または締結ストリップパーホレーション）９３０（図９ａ参照）から形成される。形成されたとき（すなわち締結ストリップパーホレーション９３０が切り裂かれたとき）、締結ストリップ９２８ａ、９２８ｂは、カバーに結合された対応するそれぞれの被結合端９３２ａ、９３２ｂと、自由端９３４ａ、９３４ｂとを備える。
【０１６０】
図９ａ、９ｂおよび９ｃに示された実施形態例では、締結ストリップ９２８ａ、９２８ｂが、中心開口の直径を実質的に横切って延びる。締結ストリップ９２８ａ、９２８ｂは実質的に、上シート９０２ａおよび下シート９０２ｂの、中心開口９１６を形成するために切り抜かれた部分から形成される。締結ストリップ９２８ａ、９２８ｂは、外側縁９０４、９０６のうちの一方の外側縁の近くの中心開口９１６の周囲に沿った位置にある対応するそれぞれの被結合端９３２ａ、９３２ｂのところで、上シート９０２ａおよび下シート９０２ｂに結合されている。締結ストリップ９２８ａ、９２８ｂは実質的に、自由端９３４ａ、９３４ｂが、被結合端とは実質的に反対側の、対向する外側縁９０６、９０４の近くの中心開口９１６の周囲に沿った別の位置から切り離されているような態様で、中心開口を横切って延びている。
【０１６１】
この実施形態例では、締結ストリップ９２８ａが、中心開口９１６の周囲に沿っており、かつカバー９００の外側縁９０６の近くの位置にある結合端９３２ａのところで、カバー９００に結合されている。締結ストリップ９２８ａは、中心開口９１６を形成するために切り取られた剥がされた部分から形成され、したがって、中心開口９１６の直径と実質的に同じ長さを有する。締結ストリップ９２８ａは、被結合端９３２ａとは実質的に反対側の、対向する側縁９０４の近くの中心開口の周囲に沿った別の位置から切り離された自由端９３４ａを有する。
【０１６２】
図９ｂおよび９ｃを特に参照すると、上シート９０２ａと下シート９０２ｂの間に便座９４０（図９ｃ）を置いて便座カバー９００が使用されるとき、締結ストリップ９２８ａ、９２８ｂの自由端９３４ａ、９３４ｂは、便座の中空部分および便座カバー９００（具体的には上シート９０２ａ）に形成された中心開口９１６を通り抜けて延び、次いで、中空部分および中心開口９１６の中心から、実質的に対応するそれぞれの被結合端９３２ａ、９３４ｂの近くの外側縁９０４、９０６の方向へ、半径方向に引っ張られまたは延ばされる（符号９３６ａ、９３６ｂによって示された矢印を参照されたい）。このとき、自由端９３４ａ、９３４ｂは、展開されたときに締結ストリップ９２８が、便座９４０の一部分を取り巻くループを実質的に形成し、中空部分および中心開口９１６を妨げたりまたは塞いだりしないような態様で引っ張られまたは延ばされる。したがって、有利には、締結ストリップ９２８ａ、９２８ｂは、便座カバー９００を便座９４０に固定または締結して、便座カバー９００内で便座９４０が実質的に動かないようにすることを可能にすることができる。
【０１６３】
さらに有利には、（上の図７ａ、７ｂに描かれた）締結ストリップ７２２ａ、７２２ｂと同様に、締結ストリップ９２８ａ、９２８ｂは、排泄物、例えば尿または他の望ましくない物質が便座９４０からシートとシートの間を通って染み出し、使用者に達することがないような態様で、上シート９０２ａと下シート９０２ｂとを、間に便座９４０を挟んで一緒に結合することを可能にすることができる。
【０１６４】
図９ａ、９ｂ、９ｃに示された実施形態例では、締結ストリップ９２８ａ、９２８ｂがそれぞれ、上シート９０２ａから形成された上締結ストリップと、下シート９０２ｂから形成された下締結ストリップとを含む。図９ｂおよび９ｃでは、締結ストリップ９２８ａ、９２８ｂが、便座９４０およびカバー９００の上に巻き付けられまたは折り返されているため、下締結ストリップだけが見えていることが理解されよう。このような構成において、使用者は、締結ストリップ９２８ａ、９２８ｂを間に挟んでカバー９００の上に腰掛けることができる。あるいは、締結ストリップ９２８ａ、９２８ｂをカバー９００の下に挟み込みまたは巻き付けて、締結ストリップ９２８ａ、９２８ｂがカバー９００とトイレのリム（例えば図１の１０６）の間にあるようにした状態で、使用者がカバー９００の上に腰掛けることができるような態様で、締結ストリップ９２８ａ、９２８ｂを、便座９４０およびカバーの下に巻き付けまたは折り返すこともできる。
【０１６５】
締結ストリップ９２８ａ、９２８ｂがカバー９００の上に巻き付けられるのか、またはカバー９００の下に巻き付けられるのかに関わらず、カバー９００の上に腰掛けているとき、使用者は、ストリップに圧力を加え続けていることが理解されよう。そのため、カバー９００の中に便座９４０を固定することができる。
【０１６６】
図９ａ、９ｂおよび９ｃに示された実施形態例では、上シート９０２ａが、上シート９０２ａの後縁または口縁９３８から延びる、上シート９０２ａが下シート９０２ｂよりも長くなるような態様の延長部分９１４をさらに備える。この実施形態例では、上シート９０２ａが、下シート９０２ｂよりも約４５０ｍｍ長い。上で説明した延長部分７０８（図７ｂ）と同様に、延長部分９１４は、有利には、トイレのより広いエリアを覆うことを可能にすることができる。便座の蝶番端の付近のエリアは、立っている男性使用者によって残された除去するのが困難な尿によって汚されている可能性があることが理解されよう。延長部分９１４は、有利には、特に便座が便器のリムに接続された便座の蝶番端のところで、便座の後部をより十分に覆い、使用者をより十分に遮蔽することができる。
【０１６７】
図９ａ、９ｂおよび９ｃに示された実施形態例では、延長部分９１４が、カバー９００の延長された端または遠端に位置するポケット９４２を備える。図９ｃを参照すると、ポケット９４２は、延長部分９１４を便座９４０の蓋９４４に固定することができるような態様で、蓋９４４の自由端もしくは蝶番が付いていない端とその内部で係合し、またはそのような端をその内部に受け取ることができる。ポケット９４２の位置は、便座カバーの典型的な高さに基づくことが理解されよう。これらの実施形態例では、ポケット９４２の深さ（図９ｃの参照符号９４８を参照されたい）が約１００〜１２０ｍｍである。
【０１６８】
この実施形態例では、延長部分９１４がさらに、上の図７ｂに描かれた開口部７１２と同様の１つまたは複数の開口部９４６を備えることができる。開口部９４６は、例えば支持壁面または水タンク上に含まれる係合手段（例えばフック）と協力して、延長部分９１４を、トイレの水タンクまたは支持壁面に対して適切に固定することができる。
【０１６９】
この実施形態例では、開口部９４６が、パーホレーションを切り裂くことによって形成され、または、製造時に開口部９４６を予め切り抜いておくこともできる。さらに、これらの実施形態例では、開口部９４６がポケット９４２上に配置される。開口部９４６の位置は、示された特定の位置だけに限定されないことが理解されよう。
【０１７０】
図１０は、上シート９０２ａおよび下シート９０２ｂの下面図を示す。図９ａ、９ｂおよび９ｃの便座カバー９００の上シート９０２ａおよび下シート９０２ｂのおおよその寸法も例示的に示されている。図１０に示されているように、下シート９０２ｂの寸法は約４５０ｍｍ×３９５ｍｍである。上シートは、上シートが下シートよりも長くなるような態様の延長部分９１４をさらに備え、上シートの寸法は９００ｍｍ×３９５ｍｍである。上シートと下シートの両方の中心開口９１６（形成されたとき）は２６０ｍｍ×２１５ｍｍの長円形である。締結ストリップ９２８ａ、９２８ｂがそれぞれ実質的に中心開口９１６の幅を横切って延びるように、締結ストリップ９２８ａ、９２８ｂ（形成されたとき）の寸法はそれぞれ約２１５ｍｍ×６０ｍｍである。延長部分９１４は、上シート９０２ａの延長された端または遠端のところにポケット９４２を備える。ポケット９４２の深さは約１００ｍｍである。ポケット９４２上には、開口部９４６を形成するためのパーホレーションが配置されており、パーホレーションの直径は約１０ｍｍである。
【０１７１】
図１０に示された寸法は例示だけが目的であることが理解されよう。
【０１７２】
図９ｃに示されたポケット９４２および１つまたは複数の開口部９４６の使用は任意であること、および開口部９４６と協力して追加の固定手段を提供する係合手段を持たずに、摩擦係合するために水タンクまたは支持壁面もしくは支持要素に延長部分９１４を添わせることができることが理解されよう。
【０１７３】
例えば水タンクまたは支持壁面もしくは支持要素に添わせることに加えて、便座の蓋に延長部分９１４を添わせることもできることが、さらに理解されよう。
【０１７４】
これらの実施形態例では、カバー（例えばそれぞれ図２ｂ、２ｃ、４ｂ、４ｃ、７ａ、７ｂおよび９ａ、９ｂ、９ｃの符号２００、４００、７００および９００）を、実質的にまっすぐな縁を有する実質的に長方形のカバーであるとして示してきた。特に、外側縁（例えば２０６ａ、２０６ｂ、４０６ａ、４０６ｂおよび９０４、９０６）は、カバー（例えば２００、４００、７００、９００）の縦方向の周囲に沿って延び、口（２１０、４１０、９１８）および前縁（２１２、２１４、９０８）は、カバーの横断方向または緯度方向の周囲に沿って延びる。代替実施形態では、カバーが、限定はされないが、円形または長円形を含む代替形状を有することができることが理解されよう。そのため、幅広くそして例示的に記載された本発明の範囲から逸脱することなく、上述の縁を湾曲させることができる。
【０１７５】
さらに、これらの実施形態例は、側縁および前縁がカバーまたはシートの端にあるとしているように見えるが、それらの縁は、カバーまたはそれぞれのシートの本体の内部にあってもよいことが理解されよう。すなわち、一緒に結合される縁は、外縁（例えば図４ｂの４０６ａ、４０６ｂ）であるとして記載されている。しかしながら、その代わりに、この結合を別の縁、例えば開口（例えばそれぞれ図２ｂ、４ｂの２１６、４１６）の縁の少なくとも一部分で実行することもできることが理解されよう。
【０１７６】
いくつかの実施形態例では、カバー（例えばそれぞれ図２ｃおよび４ｃの符号２００および４００）がさらに、便座（例えばそれぞれ図２ｃおよび４ｃの符号１１０および３１０）の下に折り返し配置することができる周辺エリアを備える。周辺エリアが折り返されると、便座上に提供されたフック（例えばそれぞれ図２ｃおよび４ｃの符号１１６および３１８）がさらに、受取り開口部（例えばそれぞれ図２ｃおよび４ｃの符号２２６および４２６）と係合する。代替実施形態では、便座がフックを備えていないこともあり、受取り開口部が存在しないこともある。このような実施形態でも、カバーを便座にさらに固定するため、およびカバーに安定性を追加するために、カバーの周辺エリアを折り返し、便座が展開されたときに便座の下にカバーの周辺エリアを配置する（または挟み込む）ことができる。
【０１７７】
本出願の実施形態例はしたがって、便座を覆うカバーを提供することができる。このカバーは、しっかりと取り付けて（または引っ張って）便座を被包することができるため、使用者を便座からより効果的に遮蔽することができる。加えて、好ましい開口部（例えばそれぞれ図２ｃおよび４ｃの符号２２４、４２８）を提供すると、この固定を強化することができる。さらに、好ましい受取り開口部（例えばそれぞれ図２ｃおよび４ｃの２２６、４２６）を追加で提供すると、この固定をよりいっそう強化することができる。
【０１７８】
加えて、本出願の実施形態例のカバーを、希望に応じて新しい便座カバーを便座の上に取り付けることができるような態様の使い捨てのカバーとすることもできる。これによって、有利には、トイレの使用が欲せられるたびに、使用者が腰掛ける清浄な新しい表面が提供される。この便座カバーは、トイレの使用が完了したときに容易に取り外して廃棄することができる。
【０１７９】
いくつかの実施形態例では、カバー（例えばそれぞれ図２ｂ、２ｃ、４ｂ、４ｃ、７ａ、７ｂおよび９ａ、９ｂ、９ｃの符号２００、４００、７００および９００）の上シートおよび下シート（例えばそれぞれ図２ａ、２ｂ、２ｃ、４ａ、４ｂ、４ｃ、７ａ、７ｂおよび９ａ、９ｂ、９ｃの符号２０２、２０４、４０２、４０４、７０２ａ、７０２ｂおよび９０２ａ、９０２ｂ）が、便座の上に置かれたときに便座カバーを通して流体が透過しまたは染み出すことが防止されるように、不透過性材料でできている。この不透過性材料は例えば、ポリマーベースのフィルム、オイルコーテッドペーパー（ｏｉｌ−ｃｏａｔｅｄ  ｐａｐｅｒ）などである。
【０１８０】
いくつかの実施形態例では、カバー（例えばそれぞれ図２ｂ、２ｃ、４ｂ、４ｃ、７ａ、７ｂおよび９ａ、９ｂ、９ｃの符号２００、４００、７００および９００）の上シートおよび下シート（例えばそれぞれ図２ａ、２ｂ、２ｃ、４ａ、４ｂ、４ｃ、７ａ、７ｂおよび９ａ、９ｂ、９ｃの符号２０２、２０４、４０２、４０４、７０２ａ、７０２ｂおよび９０２ａ、９０２ｂ）が、透過性材料でできている。このことは、ウェットビン（ｗｅｔ  ｂｉｎ）、水洗トイレなどで廃棄する状況において有利なことがある。
【０１８１】
いくつかの実施形態例では、上シートおよび下シート（例えばそれぞれ図２ａ、２ｂ、２ｃ、４ａ、４ｂ、４ｃ、７ａ、７ｂおよび９ａ、９ｂ、９ｃの符号２０２、２０４、４０２、４０４、７０２ａ、７０２ｂおよび９０２ａ、９０２ｂ）が多層シートであってよい。すなわち、それぞれのシートが内側層および外側層を備え、内側層は、そのシートが便座の上に置かれまたは便座を被包するときに便座と接触し、外側層は、カバーの外面にある。例えば、上シートの外側層は、使用中、使用者と接触する。このような一実施形態では、この内層または内側層が、便座カバーを通して流体が染み出しまたは透過することを防ぐ不透過性材料または防水材料を含み、外層が、使用者が腰掛けるのにより快適でありうる透過性層または吸収性層からなる。これは、吸収性層が一般に、より軟かい材料でできているためである。加えて、吸収性層は、使用者からの汗を吸収することができ、このことは、使用者がより快適に腰掛けることを可能にしうる。一例として、この吸収性材料を不織材料とすることができ、ポリエチレンベースの材料、ポリプロピレン、不織布、紙、綿などの材料とすることができ、不透過性材料は、ポリマーベースのフィルム、オイルコーテッドペーパーなどとすることができる。
【０１８２】
いくつかの実施形態例では、結合された縁（例えばそれぞれ図２ａ、２ｂ、２ｃおよび４ａ、４ｂ、４ｃの符号２０６ａ、２０６ｂ、２１２および４０６ａ、４０６ｂ、４１２または図８の符号８０２）のうちの１つの縁を折り目が形成するように折り畳まれた単一の材料シートから、上シートおよび下シート（例えばそれぞれ図２ａ、２ｂ、２ｃ、４ａ、４ｂ、４ｃ、７ａ、７ｂおよび９ａ、９ｂ、９ｃの符号２０２、２０４、４０２、４０４、７０２ａ、７０２ｂおよび９０２ａ、９０２ｂ）が形成されてよい。
【０１８３】
実施形態例では、本発明の範囲から逸脱することなく、フック（例えば図２ｃ、４ｃおよび７ｂの符号１１６、３１８、７１４）の代わりに、他の適当な係合部材または係合手段、例えば保持クリップ、ポスト（ｐｏｓｔ）またはスタブ（ｓｔｕｂ）などが使用されてよい。加えて、２つの係合部材、２つの開口部および２つの受取り開口部を説明してきたが、カバーを固定する目的には、任意の数のこのような構成要素を提供することができることが理解されよう。これらのフックまたは適当な係合部材を、適切に（従来の便座などの）便座または水タンクもしくは壁面に容易に取り付け、容易に取り外すことができるような態様の取外し可能なフックまたは係合部材とすることもできる。
【０１８４】
以下に、便座カバーを形成する例示的な方法を示す。第１のステップとして、透過性材料層と不透過性材料層とを、接着剤または任意の接着材料によって一緒に接着して、単一のシートを形成する。次に、接着されたこの単一のシート材料を折り畳んで封筒形にし、次いで、熱間シーリング機、超音波機械または縫合手段などを使用して側縁（および必要に応じて前縁）のところで封着する。口（例えばそれぞれ図２ｂ、４ｂおよび９ｃの２１０、４１０または９１８）は封着せず、開いたままにしておく。任意選択で、例えばポケット９４２（図９ｃ）を、熱間シーリング機、超音波機械または縫合手段などを使用して形成することができる。次に、この便座カバーを、中心穴部分（例えばそれぞれ図２ａおよび４ａの２１４ａ、４１４ａ）用のパーホレーション（例えばそれぞれ図２ａ、４ａおよび９ａの２１８ａ、４１８ａ、９１２）、ならびに開口部（例えばそれぞれ図２ｃおよび４ｃの２２４、４２８）および受取り開口部（例えばそれぞれ図２ｃおよび４ｃの２２６、４２６）用のパーホレーションの穴あけにかける。フラップ（例えば図９ａの９２６）のサイズを変更しまたは小さくするためのパーホレーション、締結ストリップ（例えば９３０）を提供するためのパーホレーションなど、他のパーホレーションも形成する。
【０１８５】
蹄鉄形カバー（例えば図４ａ、４ｂおよび４ｃの４００）については、例えばヒートシーリング（ｈｅａｔ  ｓｅａｌｉｎｇ）、超音波シーリングまたはスレッド（ｔｈｒｅａｄ）シーリングなどによって内縁（例えば図４ｂの４２４ａ、４２４ｂ）を封着する追加のステップを実行する。
【０１８６】
本明細書に記載された実施形態例においてパーホレーションを切り裂いた結果として形成される開口または部分を、便座カバーの生産時に形成することができることが理解されよう。すなわち、使用者によって切り裂かれるパーホレーションを（上シートおよび／または下シート上に）形成する代わりに、製造時に切っておくことができる。例えば、後に使用者が切り裂かなければならないパーホレーションを形成する必要なしにフラップ２２２ａ、２２２ｂが形成されるように、図２ａおよび２ｂの穴部分２１４ａ、２１４ｂを、便座カバーの製造時に切っておくことができる。
【０１８７】
しかしながら、これらのさまざまな穴部分などを切っておくと、その結果として、カバーが構造的に破れやすくなり、使用するために使用者が便座の上に引っ張ることが難しくなる可能性があることが理解されよう。したがって、後に切り裂くことができるパーホレーションを提供すれば、使用者が、便座カバーを便座の上により容易に展開し、続いて、カバーに便座が挿入された後に、必要なパーホレーションを切り裂くことが可能になりうる。
【０１８８】
図１１は、便座カバーを製造する、一実施形態例における方法１１００を示す流れ図である。ステップ１１０２で、上材料シートおよび下材料シートを用意する。ステップ１１０４で、下シートの２つの結合縁上で下シートを上シートに結合する。前記２つの結合縁は対向する外縁を含む。ステップ１１０６で、上シート上および下シート上に、対応するそれぞれの穴部分を形成する。ステップ１１０８で、対応するそれぞれの穴部分を位置合わせして、カバーの中心開口を形成する。前記中心開口は、カバーによって便座が受け取られているときに便座の中空部分と実質的に位置合わせされうる。
【０１８９】
幅広く記載された本発明の趣旨または範囲から逸脱することなく、特定の実施形態に他の変形および／または変更を加えることができることを当業者は理解するであろう。したがって、本発明の実施形態は、あらゆる点において、例示的であり限定的ではないとみなされる。
【図１】
0006441386.tif 000002
【図２ａ】
0006441386.tif 000003
【図２ｂ】
0006441386.tif 000004
【図２ｃ】
0006441386.tif 000005
【図３】
0006441386.tif 000006
【図４ａ】
0006441386.tif 000007
【図４ｂ】
0006441386.tif 000008
【図４ｃ】
0006441386.tif 000009
【図５】
0006441386.tif 000010
【図６】
0006441386.tif 000011
【図７ａ】
0006441386.tif 000012
【図７ｂ】
0006441386.tif 000013
【図８】
0006441386.tif 000014
【図９ａ】
0006441386.tif 000015
【図９ｂ】
0006441386.tif 000016
【図９ｃ】
0006441386.tif 000017
【図１０】
0006441386.tif 000018
【図１１】
0006441386.tif 000019